【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
第１の鍵情報を作用させてコンテンツを利用不可能な状態に変換する第１の暗号化手段と、
第１の記録媒体に記録されたコンテンツに前記第１の鍵情報を作用させて利用可能な状態に変換する第１の復号手段と、
第２の鍵情報を生成する鍵情報生成手段と、
前記第２の鍵情報を保持する不揮発性の鍵情報保持手段と、
前記第１の鍵情報を前記第２の鍵情報で暗号化する第２の暗号化手段と、
前記第１の記録媒体に記録された、暗号化された前記第１の鍵情報を、前記鍵情報保持手段から読み出した前記第２の鍵情報で復号して、前記第１の暗号化手段および前記第１の復号手段に供給する第２の復号手段と、
前記第１の記録媒体にコンテンツを記録するとき、前記第１の暗号化手段にコンテンツを変換させて前記第１の記録媒体に記録し、その変換に用いた前記第１の鍵情報を前記第２の暗号化手段に暗号化させて前記第１の記録媒体に記録し、その暗号化に用いた前記第２の鍵情報を前記鍵情報保持手段に記録する処理を実行し、少なくとも、前記第１の記録媒体に記録されたコンテンツを第２の記録媒体に移動するとき、前記第１の記録媒体内の暗号化された前記第１の鍵情報を前記第２の復号手段に復号させ、復号された前記第１の鍵情報を前記第１の復号手段に供給して、前記第１の記録媒体からのコンテンツを変換させるとともに、復号された前記第１の鍵情報を、前記鍵情報生成手段により新たに生成された前記第２の鍵情報で、前記第２の暗号化手段に暗号化させて、前記第１の記録媒体に上書き記録し、新たに生成された前記第２の鍵情報を前記鍵情報保持手段に上書き記録する処理を実行する制御手段と、
を有する情報記録再生装置。
【請求項２】
前記鍵情報生成手段は、前記第２の鍵情報として乱数を生成する請求項１記載の情報記録再生装置。
【請求項３】
前記制御手段は、前記第１の記録媒体にコンテンツを記録する際に、前記第１の記録媒体に、前記第２の暗号化手段により暗号化された前記第１の鍵情報がすでに記録されている場合には、前記第１の記録媒体内の暗号化された前記第１の鍵情報を前記第２の復号手段に復号させ、前記第１の暗号化手段に、復号された前記第１の鍵情報を供給して、記録するコンテンツを変換させ、前記第２の暗号化手段に、前記鍵情報生成手段により新たに生成された前記第２の鍵情報で、復号された前記第１の鍵情報を暗号化させて、前記第１の記録媒体に上書き記録し、その暗号化に用いた新たな前記第２の鍵情報を前記鍵情報保持手段に上書き記録する請求項１記載の情報記録再生装置。
【請求項４】
前記第１の暗号化手段は、入力されたコンテンツを前記第１の鍵情報で暗号化することで当該コンテンツを利用不可能な状態に変換し、
前記制御手段は、前記第１の記録媒体にコンテンツを記録するとき、前記第１の暗号化手段により暗号化された暗号化コンテンツを前記第１の記録媒体に記録し、前記第１の記録媒体に記録された前記暗号化コンテンツを前記第２の記録媒体に移動するとき、前記第１の記録媒体から読み出した前記暗号化コンテンツを前記第１の復号手段に供給して、前記第２の復号手段により復号された前記第１の鍵情報で前記暗号化コンテンツを復号させる、
請求項１記載の情報記録再生装置。
【請求項５】
前記第１の記録媒体に記録された前記暗号化コンテンツを、通信回線を通じて接続された外部機器内の前記第２の記録媒体に移動するとき、前記外部機器との間で前記通信回線を通じて相互認証処理を実行し、正しく認証された場合に、前記第１の復号手段により復号されたコンテンツを前記外部機器に転送する通信手段をさらに有する請求項４記載の情報記録再生装置。
【請求項６】
前記第１の記録媒体内の前記暗号化コンテンツを移動するたびに異なるコンテンツ鍵を生成するコンテンツ鍵生成手段と、
前記第１の記録媒体に記録された前記暗号化コンテンツを前記第２の記録媒体に移動するとき、前記コンテンツ鍵生成手段により生成された前記コンテンツ鍵で、前記第１の復号手段により復号されたコンテンツを暗号化する第３の暗号化手段と、
をさらに有する請求項４記載の情報記録再生装置。
【請求項７】
前記第１の暗号化手段は、あらかじめコンテンツが暗号化された暗号化コンテンツと、前記暗号化コンテンツの復号に必要なコンテンツ鍵の入力を受けて、前記コンテンツ鍵を前記第１の鍵情報で暗号化することで前記暗号化コンテンツを利用不可能な状態に変換し、
前記制御手段は、前記第１の記録媒体に前記暗号化コンテンツを記録するとき、前記暗号化コンテンツと、前記第１の暗号化手段により暗号化された前記コンテンツ鍵とを前記第１の記録媒体に記録し、前記第１の記録媒体に記録された前記暗号化コンテンツを前記第２の記録媒体に移動するとき、前記第１の記録媒体から読み出した前記コンテンツ鍵を前記第１の復号手段に供給して、前記第２の復号手段により復号された前記第１の鍵情報で前記コンテンツ鍵を復号させる、
請求項１記載の情報記録再生装置。
【請求項８】
前記第１の記録媒体に記録された前記暗号化コンテンツを、通信回線を通じて接続された外部機器内の前記第２の記録媒体に移動するとき、前記外部機器との間で前記通信回線を通じて相互認証処理を実行し、正しく認証された場合に、少なくとも前記第１の復号手段により復号された前記コンテンツ鍵を前記外部機器に転送する通信手段をさらに有する請求項７記載の情報記録再生装置。
【請求項９】
コンテンツの入力のたびに異なる前記コンテンツ鍵を生成するコンテンツ鍵生成手段と、
前記コンテンツ鍵生成手段により生成された前記コンテンツ鍵で、入力されたコンテンツを暗号化する第３の暗号化手段と、
をさらに有し、
前記制御手段は、前記第１の記録媒体に前記第３の暗号化手段により暗号化された前記暗号化コンテンツを記録するとき、前記コンテンツ鍵生成手段により生成された前記コンテンツ鍵を、前記第１の暗号化手段に暗号化させ、暗号化された前記コンテンツ鍵と前記暗号化コンテンツとを前記第１の記録媒体に記録する、
請求項７記載の情報記録再生装置。
【請求項１０】
コンテンツを第１の記録媒体に記録する際に、第１の鍵情報を作用させてコンテンツを利用不可能な状態に変換する第１の暗号化手段と、
少なくとも、前記第１の記録媒体に記録されたコンテンツを再生する際、および当該コンテンツを第２の記録媒体に移動する際に、当該コンテンツに前記第１の鍵情報を作用させて利用可能な状態に変換する第１の復号手段と、
第２の鍵情報を生成する鍵情報生成手段と、
前記第２の鍵情報を保持する不揮発性の鍵情報保持手段と、
前記第１の鍵情報を前記第２の鍵情報で暗号化する第２の暗号化手段と、
前記第１の記録媒体に記録された、暗号化された前記第１の鍵情報を、前記鍵情報保持手段から読み出した前記第２の鍵情報で復号して、前記第１の暗号化手段および前記第１の復号手段に供給する第２の復号手段と、
少なくとも、当該情報記録再生装置の初期設定時、または前記第１の記録媒体に対する１回目のコンテンツの記録時のいずれかにおいて、前記第１の鍵情報を前記第２の暗号化手段に暗号化させて前記第１の記録媒体に記録するとともに、その暗号化に用いた前記第２の鍵情報を前記鍵情報保持手段に記録する処理を実行し、当該情報記録再生装置の電源を切断するときに、前記第１の記録媒体内の暗号化された前記第１の鍵情報を前記第２の復号手段に復号させ、復号された前記第１の鍵情報を、前記鍵情報生成手段により新たに生成された前記第２の鍵情報で、前記第２の暗号化手段に暗号化させて、前記第１の記録媒体に上書き記録するとともに、新たに生成された前記第２の鍵情報を前記鍵情報保持手段に上書き記録する処理を実行する制御手段と、
を有する情報記録再生装置。
【請求項１１】
第１の記録媒体にコンテンツを記録するとき、
第１の暗号化手段が、第１の鍵情報を作用させてコンテンツを利用不可能な状態に変換して前記第１の記録媒体に記録し、
第２の暗号化手段が、前記第１の暗号化手段での変換に用いられた前記第１の鍵情報を、新たに生成した第２の鍵情報で暗号化して前記第１の記録媒体に記録し、
鍵情報保持手段が、前記第２の暗号化手段での暗号化に用いられた前記第２の鍵情報を上書きして記憶し、
少なくとも、前記第１の記録媒体に記録されたコンテンツを第２の記録媒体に移動するとき、
第１の復号手段が、前記第１の記録媒体内の暗号化された前記第１の鍵情報を、前記鍵情報保持手段が記憶している前記第２の鍵情報で復号し、
第２の復号手段が、前記第１の記録媒体からのコンテンツに、前記第１の復号手段に復号された前記第１の鍵情報を作用させて、当該コンテンツを利用可能な状態に変換し、
前記第２の暗号化手段が、前記第１の復号手段に復号された前記第１の鍵情報を、新たに生成した前記第２の鍵情報で暗号化して前記第１の記録媒体に上書き記録し、
前記鍵情報保持手段が、前記第２の暗号化手段での暗号化に用いられた新たな前記第２の鍵情報を上書きして記憶する、
コンテンツ管理方法。
【請求項１２】
コンテンツを第１の記録媒体に記録するとき、
第１の暗号化手段が、第１の鍵情報を作用させてコンテンツを利用不可能な状態に変換して前記第１の記録媒体に記録し、
第２の暗号化手段が、前記第１の暗号化手段での変換に用いられた前記第１の鍵情報を、新たに生成した第２の鍵情報で暗号化して前記第１の記録媒体に記録し、
少なくとも、当該情報記録再生装置の初期設定時、または前記第１の記録媒体に対する１回目のコンテンツの記録時のいずれかにおいて、
前記第２の暗号化手段が、前記第１の鍵情報を、新たに生成した前記第２の鍵情報で暗号化して前記第１の記録媒体に記録し、
鍵情報保持手段が、前記第２の暗号化手段での暗号化に用いられた前記第２の鍵情報を上書きして記憶し、
当該情報記録再生装置の電源を切断するときに、
第１の復号手段が、前記第１の記録媒体内の暗号化された前記第１の鍵情報を、前記鍵情報保持手段に記憶された前記第２の鍵情報で復号し、
前記第２の暗号化手段が、前記第１の復号手段に復号された前記第１の鍵情報を、新たに生成した前記第２の鍵情報で暗号化して前記第１の記録媒体に上書き記録し、
前記鍵情報保持手段が、前記第２の暗号化手段での暗号化に用いられた新たな前記第２の鍵情報を上書きして記憶し、
少なくとも、前記第１の記録媒体に記録されたコンテンツを再生するとき、および当該コンテンツを第２の記録媒体に移動するときに、
前記第１の復号手段が、前記第１の記録媒体内の暗号化された前記第１の鍵情報を、前記鍵情報保持手段が記憶している前記第２の鍵情報で復号し、
第２の復号手段が、前記第１の記録媒体からのコンテンツに、前記第１の復号手段に復号された前記第１の鍵情報を作用させて、当該コンテンツを利用可能な状態に変換する、
情報記録再生装置におけるコンテンツ管理方法。
【請求項１３】
第１の鍵情報を作用させてコンテンツを利用不可能な状態に変換する第１の暗号化手段、
第１の記録媒体に記録されたコンテンツに前記第１の鍵情報を作用させて利用可能な状態に変換する第１の復号手段、
第２の鍵情報を生成する鍵情報生成手段、
前記第２の鍵情報を不揮発性記録媒体に記録する鍵情報記録手段、
前記第１の鍵情報を前記第２の鍵情報で暗号化する第２の暗号化手段、
前記第１の記録媒体に記録された、暗号化された前記第１の鍵情報を、前記不揮発性記録媒体から読み出した前記第２の鍵情報で復号して、前記第１の暗号化手段および前記第１の復号手段に供給する第２の復号手段、
前記第１の記録媒体にコンテンツを記録するとき、前記第１の暗号化手段にコンテンツを変換させて前記第１の記録媒体に記録し、その変換に用いた前記第１の鍵情報を前記第２の暗号化手段に暗号化させて前記第１の記録媒体に記録し、その暗号化に用いた前記第２の鍵情報を前記不揮発性記録媒体に記録させる処理を実行し、少なくとも、前記第１の記録媒体に記録されたコンテンツを第２の記録媒体に移動するとき、前記第１の記録媒体内の暗号化された前記第１の鍵情報を前記第２の復号手段に復号させ、復号された前記第１の鍵情報を前記第１の復号手段に供給して、前記第１の記録媒体からのコンテンツを変換させるとともに、復号された前記第１の鍵情報を、前記鍵情報生成手段により新たに生成された前記第２の鍵情報で、前記第２の暗号化手段に暗号化させて、前記第１の記録媒体に上書き記録し、新たに生成された前記第２の鍵情報を前記不揮発性記録媒体に上書き記録させる処理を実行する制御手段、
としてコンピュータを機能させるコンテンツ管理プログラム。
【請求項１４】
コンテンツを第１の記録媒体に記録する際に、第１の鍵情報を作用させてコンテンツを利用不可能な状態に変換する第１の暗号化手段、
少なくとも、前記第１の記録媒体に記録されたコンテンツを再生する際、および当該コンテンツを第２の記録媒体に移動する際に、当該コンテンツに前記第１の鍵情報を作用させて利用可能な状態に変換する第１の復号手段、
第２の鍵情報を生成する鍵情報生成手段、
前記第２の鍵情報を不揮発性記録媒体に記録する鍵情報記録手段、
前記第１の鍵情報を前記第２の鍵情報で暗号化する第２の暗号化手段、
前記第１の記録媒体に記録された、暗号化された前記第１の鍵情報を、前記不揮発性記録媒体から読み出した前記第２の鍵情報で復号して、前記第１の暗号化手段および前記第１の復号手段に供給する第２の復号手段、
少なくとも、当該コンテンツ管理プログラムの初期実行時、または前記第１の記録媒体に対する１回目のコンテンツの記録時のいずれかにおいて、前記第１の鍵情報を前記第２の暗号化手段に暗号化させて前記第１の記録媒体に記録するとともに、その暗号化に用いた前記第２の鍵情報を前記不揮発性記録媒体に記録させる処理を実行し、当該コンピュータの電源を切断するときに、前記第１の記録媒体内の暗号化された前記第１の鍵情報を前記第２の復号手段に復号させ、復号された前記第１の鍵情報を、前記鍵情報生成手段により新たに生成された前記第２の鍵情報で、前記第２の暗号化手段に暗号化させて、前記第１の記録媒体に上書き記録するとともに、新たに生成された前記第２の鍵情報を前記不揮発性記録媒体に上書き記録させる処理を実行する制御手段、
としてコンピュータを機能させるコンテンツ管理プログラム。
【手続補正２】
【補正対象書類名】明細書
【補正対象項目名】０００１
【補正方法】変更
【補正の内容】
【０００１】
本発明は、記録媒体に情報を記録し、記録された情報を再生することが可能な情報記録再生装置、およびその記録・再生のためのコンテンツ管理方法に関する。
【手続補正３】
【補正対象書類名】明細書
【補正対象項目名】００２７
【補正方法】変更
【補正の内容】
【００２７】
本発明では上記課題を解決するために、第１の鍵情報を作用させてコンテンツを利用不可能な状態に変換する第１の暗号化手段と、第１の記録媒体に記録されたコンテンツに前記第１の鍵情報を作用させて利用可能な状態に変換する第１の復号手段と、第２の鍵情報を生成する鍵情報生成手段と、前記第２の鍵情報を保持する不揮発性の鍵情報保持手段と、前記第１の鍵情報を前記第２の鍵情報で暗号化する第２の暗号化手段と、前記第１の記録媒体に記録された、暗号化された前記第１の鍵情報を、前記鍵情報保持手段から読み出した前記第２の鍵情報で復号して、前記第１の暗号化手段および前記第１の復号手段に供給する第２の復号手段と、前記第１の記録媒体にコンテンツを記録するとき、前記第１の暗号化手段にコンテンツを変換させて前記第１の記録媒体に記録し、その変換に用いた前記第１の鍵情報を前記第２の暗号化手段に暗号化させて前記第１の記録媒体に記録し、その暗号化に用いた前記第２の鍵情報を前記鍵情報保持手段に記録する処理を実行し、少なくとも、前記第１の記録媒体に記録されたコンテンツを第２の記録媒体に移動するとき、前記第１の記録媒体内の暗号化された前記第１の鍵情報を前記第２の復号手段に復号させ、復号された前記第１の鍵情報を前記第１の復号手段に供給して、前記第１の記録媒体からのコンテンツを変換させるとともに、復号された前記第１の鍵情報を、前記鍵情報生成手段により新たに生成された前記第２の鍵情報で、前記第２の暗号化手段に暗号化させて、前記第１の記録媒体に上書き記録し、新たに生成された前記第２の鍵情報を前記鍵情報保持手段に上書き記録する処理を実行する制御手段とを有する情報記録再生装置が提供される。